(57)【要約】      （修正有）【課題】主としてハチミツのように粘度の高い液体を収容する容器であって、容易に内容液を吐出させることができる容器を提供する。【解決手段】大口径である容器本体１の開口部にキャップ２を装着し、キャップ２に突出形成したノズル筒３の先端から高粘度の内容液を吐出させる容器である。このような容器のノズル筒３の先端からノズル筒３の軸方向に沿って一定寸法のスリット４を形成することである。容器本体１は、例えば軟質の合成樹脂製、キャップ２は容器本体１よりも硬質であって弾性変形が可能な合成樹脂製とする。ノズル筒３に形成するスリット４は、一対ないし四対といった等間隔の複数位置に形成する。【選択図】図１
0003192791.tif 000002
【実用新案登録請求の範囲】
【請求項１】
大口径である容器本体の開口部にキャップを装着し、該キャップに突出形成したノズル筒の先端から高粘度の内容液を吐出させる容器であって、ノズル筒の先端からノズル筒の軸方向に沿って一定寸法のスリットを形成したことを特徴とする高粘度液体用容器。
【請求項２】
キャップに突出形成したノズル筒に形成するスリットは、等間隔の複数位置に形成したことを特徴とする請求項１記載の高粘度液体用容器。
【請求項３】
容器本体は、スクイズ性を有する軟質の合成樹脂製であって、キャップは容器本体よりも硬質であって弾性変形が可能な合成樹脂製である請求項１又は２記載の高粘度液体用容器。
【請求項４】
ノズル筒の先端に吐出口を塞ぐ吐出口キャップを装着し、該吐出口キャップの先端部内周面が吐出口キャップの先端部外周面に密接し、ノズル筒先端の拡径を防止する請求項１ないし３のいずれかに記載の高粘度液体用容器。
【考案の詳細な説明】
【技術分野】
【０００１】
本考案は、主としてハチミツのように粘度の高い液体を収容する容器であって、容器本体の開口部にキャップを装着し、キャップに突出形成したノズル筒の先端から内容液を吐出させる高粘度液体用容器に関する考案である。
【背景技術】
【０００２】
高粘度の液体であるハチミツを収容する容器、具体的にはハチミツ用容器には、特許文献１や特許文献２に開示されるように、大口径である容器本体の開口部にキャップを装着し、このキャップに突出形成したノズル筒の先端から内容液であるハチミツを吐出させて使用に供する高粘度液体用容器が知られている。
【先行技術文献】
【特許文献】
【０００３】
【特許文献１】実開昭５６−３４７８６号公報
【特許文献２】特開２０１２−３０８３５号公報
【考案の概要】
【考案が解決しようとする課題】
【０００４】
従来の高粘度液体用容器は、一般的にスクイズ性を備えた比較的柔軟な合成樹脂製容器が使用されている。ところが、ハチミツのように粘度が高いものでは、小さな口径であるノズル筒の先端からの吐出が困難な場合が発生する。特に、純粋なハチミツは経時変化、温度変化によって結晶して固形化し、ノズル筒が詰まってしまう傾向がある。ハチミツが結晶して固形化した場合は、湯煎によって液状化させることによって使用に供することができるが、この作業は面倒で手数を要する欠点がある。
【０００５】
ハチミツ用容器は、一般に柔軟なスクイズ性を有する合成樹脂製の容器が使用されることから、ハチミツの粘度が高くなった場合は、容器本体を強く圧迫して吐出させようとする場合が少なくない。このような場合には、容器そのものが変形し、あるいは容器本体を破損してしまう可能性があった。また、ノズル筒の直径、すなわち吐出口を大きくしておけば、比較的容易にハチミツを吐出させることはできるが、一度に多量のハチミツを出し過ぎてしまう欠点がある。
【０００６】
上記従来技術の欠点に鑑み、本考案は例えばハチミツのように、経時変化等によって粘度が高くなる、あるいは一部が結晶するような場合であっても、なるべく安定した状態で吐出させることができる高粘度液体用容器を実現することを目的とするものである。また、本考案は、容器本体を圧迫する場合であっても、なるべく容器本体が変形や破損することなく、圧迫によって一度に内容液が吐出されるようなことがない、使い易い高粘度液体用容器を実現することを目的とするものである。
【考案の開示】
【課題を解決するための手段】
【０００７】
請求項１記載の本考案は、大口径である容器本体１の開口部1ａにキャップ２を装着し、該キャップ２に突出形成したノズル筒３の先端から高粘度の内容液を吐出させる容器であって、ノズル筒３の先端からノズル筒３の軸方向に沿って一定寸法のスリット４を形成することである。
【０００８】
請求項２記載の本考案は、キャップ２に突出形成したノズル筒３に形成するスリット４は、等間隔の複数位置に形成すること。
請求項３記載の考案は、容器本体１が、スクイズ性を有する軟質の合成樹脂製であって、キャップ２は容器本体１よりも硬質であって弾性変形が可能な合成樹脂製とすることである。
【０００９】
請求項４記載の考案は、ノズル筒３の先端にノズル筒３の吐出口５を塞ぐ吐出口キャップ６を装着し、該吐出口キャップ６の先端部内周面6ａがノズル筒３の先端部外周面に密接し、ノズル筒３先端の拡径を防止することである。
【考案の効果】
【００１０】
請求項１記載の本考案高粘度液体用容器によれば、スリット４の存在によって吐出部の面積が増大する。したがって、例えば粘度の高いハチミツであってもノズル筒３からの吐出が促進される。このとき、増大する吐出部分の面積はノズル筒３の側面に形成されるスリット４であるため、ハチミツがノズル筒３の側面にゆっくりと押し出されるように作用し、穏やかな吐出(排出)状態が実現し、一度にどっと流出することがない。
【００１１】
請求項２記載の考案によれば、複数のスリット４を等間隔に形成することによって、ノズル筒３の全周から高粘度液体が均等に吐出され、先端からの吐出との相乗効果によって、滞留がない効率的な状態で、おだやかな排出が可能となる。また、スリット４の数を、適宜設定することによって用途に応じた最適の吐出状態を実現することができる。
【００１２】
高粘度液体、例えばハチミツでは、粘度が変化する。内容液の粘度が変化する場合、粘度が高くなるにつれて、内容液を吐出させることが困難になる。請求項３記載の考案によれば、容器本体１をある程度強く圧迫することによって、たとえば、微小に固形化したような部分が存在する高粘度の液体の場合であっても、スリット４と４によって分離された周壁の一部である舌片７が撓むことによってスリット４の幅が広げられ、粘度の高いハチミツや固形物を含むハチミツのような液体であっても、これを容易に吐出させることができる。容器本体１の圧迫を解除すると、キャップ、具体的にはノズル筒３の舌片７の弾性によって旧位に復帰する。
【００１３】
請求項４記載の考案によれば、容器本体１を圧迫し、スリット４の間隔を広げて内容液を吐出させたような場合であっても、吐出口キャップ６を装着することによって、広がった状態になり易いノズル筒３を、できるだけ本来の形状に維持させることができる。
【図面の簡単な説明】
【００１４】
【図１】図１は、本考案高粘度液体用容器を、ハチミツ用容器として実施した場合の、吐出口キャップを外した状態の正面図、
【図２】図２は、吐出口キャップを装着した状態の縦断面図、
【図３】図３は、ノズル筒の二か所にスリットを形成した、吐出口キャップを外した状態の平面図、
【図４】図４は、ノズル筒の四か所にスリットを形成した、吐出口キャップを外した状態の平面図、
【図５】図５は、ノズル筒の六ヶ所にスリットを形成した、吐出口キャップを外した状態の平面図、
【図６】図６は、ノズル筒の八か所にスリットを形成した、吐出口キャップを外した状態の平面図、
【図７】図７は、本体形状が異なる実施形態の吐出口キャップを外した状態の正面図、
【図８】図８は、内容液を吐出させる状態の縦断面図。
【考案を実施するための最良の形態】
【００１５】
以下、本考案に係る高粘度液体用容器をハチミツ用容器として実施した場合の実施形態を、添付の図面に基づいて説明する。
図１に示すハチミツ用容器は、ポリエチレン等の軟質の合成樹脂材で成型される容器本体１の、大口径である開口部1aに硬質の合成樹脂材で成型したキャップ２を螺着したものである。容器本体１に装着するキャップ２には、その中心部に、先方(図面上の上方)に向けて開口するノズル筒３を突出形成し、先端の吐出口５からハチミツを吐出させて使用する。
突出するノズル筒３の外周には雄ネジ3aを形成するとともに、ノズル筒３先端部には、前記雄ネジ3aに螺合する雌ネジ6ｂを形成した吐出口キャップ６を螺着し、使用しないときは吐出口キャップ６を装着しておく。
なお、図１ないし図３に示す実施形態のハチミツ用容器は、100g用の容器であって吐出口キャップを含む全高Ｈは、略11cm程度である。
【００１６】
図１に示すように、キャップ２のノズル筒３には、先端からノズル筒の軸方向に沿って一定寸法のスリット４を設けている。図１ないし図３に示す実施形態においては、図３から理解されるように、対向位置の二か所にスリット４、４、すなわち一対のスリットを設けている。ノズル筒３の開口端からのスリット４の長さは、特に限定されるものではないが、例えば図１に示すスリットの長さＬ1を12mm程度からＬ2に示す20mm程度とすることができる。個々のスリット４の幅は、略１mm程度とする。
【００１７】
ノズル筒３の先端には、わずかな外鍔が形成されている。該外鍔の外周面、すなわち、吐出口５の外周面5ａは、吐出口キャップ６の先端部の内周面6ａに密接させている。これにより、スリットによって分割されたノズル筒の先端部が広がるのをなるべく防止することができる。
【００１８】
キャップ２に突出形成したノズル筒３に形成するスリット４は、等間隔の複数位置に形成するのが好ましい。図３に示す実施形態は対向位置の二か所、すなわち一対のスリット４、４を設けているが、図４に示す実施形態では、90度間隔の四か所、すなわち二対のスリット、図５に示す実施形態では、60度間隔の６か所、すなわち三対のスリットを形成している。
図示していないが、四対、五対のスリットを設ける場合も同様であり、スリットの数が増えればスリットとスリットの間の舌片の幅は狭くなり、撓みやすいものとなる。
【００１９】
容器本体１は、スクイズ性を有する軟質の合成樹脂製とすることによって、粘度の高いハチミツを絞りだすように容器本体１を圧迫して吐出を促すことができる。容器本体１を圧迫すると、容器本体１内にあるハチミツの内圧が上昇する。ところが、ノズル筒３の先端部分はスリット４によって分離しているため、ノズル筒３、具体的には舌片７の弾性によって外方に広がり、スリット４の隙間が大きくなって容易に吐出させることができる。スリット４が広がることによって、半ば固形化状態にあるハチミツ、あるいは比較的小さな固形状態のものが含まれるハチミツも、スリット４から吐出させることができる。
容器本体１の圧迫を解除し内圧を下げると、ノズル筒３の舌片７の弾性によって旧位置に復する。
【００２０】
図７に示す実施形態のハチミツ用容器は、500ｇ用の容器であって、吐出口キャップ６を含む全高Ｈは、略18cm程度であり、基本的な構成において前記100ｇ用の容器と同一である。ただ、実寸においてノズル筒３の長さが大きくなるため、スリット４の長さＬも必然的に長くすることが可能である。
【００２１】
粘度の高いハチミツを、例えば図８に示すように容器の上下を反転させて吐出させる場合、本考案では、ノズル筒の本来の吐出口５から流出する流れＡに加え、スリット４から側方に膨らむように溢れ出し、下方へ落下する流れＢと合流して、全体としてふっくらとした、滑らかな流れとして流出するものである。
また、容器本体１を圧迫してスクイズする場合は、スリットによって分離されたノズル筒の舌片７、７が、図８に点線で示すように内圧によって外方に撓み、吐出口５及び舌片７と７の間隔が広がり、より広いハチミツの流路が確保されることによって円滑な吐出が実現できるものである。
【００２２】
本考案では、舌片７と７の間隔が広がることによって、粘度の高い液体であるハチミツ、あるいは結晶によって一部固形化したハチミツを吐出させるものであることから、スリット４の面積が大きいこと、舌片７、７が撓みやすいことによって吐出させる効果が大きくなる。
本考案者らの実験によれば、100ｇ用の容器について、四対のスリットであって、スリットの長さ12mmから20mmの試作品において、スクイズの程度、すなわち容器本体を圧迫する力が小さく、滑らかな出方であって全体として早い速度で吐出させることができた。
【００２３】
500ｇ用の容器においては、四対のスリットであってスリットの長さが12mmから20mmの試作品において、スクイズの程度、すなわち容器本体１を圧迫する力が小さく、滑らかな出方であって全体として早い速度で吐出させることができた。このときの吐出状態は、図８に示す流れＡと流れＢの総量として効率的な吐出状態を実現するものである。
100ｇ用の容器では、長さ20mm 、幅1mmのスリットを四対設けたもの、500ｇ用の容器では、長さ27mm、幅1mmのスリットを四対設けたものが良好な結果を得ることができた。すなわち、スリット４の数が多く、しかもスリット４の長さを長くするのが効果的であることが判明した。しかしながら、スリットの数と長さはノズル筒３の強度に影響を及ぼすことから、上記良好な結果を得ることができた上記のスリットの数及び長さの範囲内、すなわちスリットの数は四対程度、スリットの長さは27mm程度の範囲で実施するのが好ましい。
【００２４】
以上述べたように、本考案高粘度液体用容器を実施する実施例であるハチミツ用容器では、容器本体１を圧迫した場合にノズル筒３からハチミツを容易に吐出させることができるため、容器本体１の内圧が低減され、容器本体１の耐久性が向上し、破損の可能性を少なくすることができる。同時に、大きな力で圧迫する必要がないため、非力な女性や子供に使い易いハチミツ用容器とすることができる。
もっとも、容器本体１内のハチミツがすべて結晶した場合は、湯煎によってある程度溶解して使用するが、この場合においても溶解の程度が少ない状態であっても吐出させることができる。
【００２５】
以上、本考案をハチミツ用容器に実施した場合の実施形態を説明したが、本考案は例えば、食品であるソース容器あるいはドレッシング容器として実施することができる他、自動車用のオイル容器として、あるいは化粧品容器として実施することができる。
【符号の説明】
【００２６】
１…容器本体、  1a…開口部、  ２…キャップ、  ３…ノズル筒、  3a…雄ネジ、  ４…スリット、  ５…吐出口、  5a…外周面、  ６…吐出口キャップ、  6a…内周面、  6b…雌ネジ、  ７…舌片。
【図１】
0003192791.tif 000003
【図２】
0003192791.tif 000004
【図３】
0003192791.tif 000005
【図４】
0003192791.tif 000006
【図５】
0003192791.tif 000007
【図６】
0003192791.tif 000008
【図７】
0003192791.tif 000009
【図８】
0003192791.tif 000010
【手続補正書】
【提出日】平成26年7月1日(2014.7.1)
【手続補正１】
【補正対象書類名】実用新案登録請求の範囲
【補正対象項目名】請求項４
【補正方法】変更
【補正の内容】
【請求項４】
ノズル筒の先端に吐出口を塞ぐ吐出口キャップを装着し、該吐出口キャップの先端部内周面がノズル筒の先端部外周面に密接し、ノズル筒先端の拡径を防止する請求項１ないし３のいずれかに記載の高粘度液体用容器。